【手続補正書】
【提出日】平成21年12月3日(2009.12.3)
【手続補正１】
【補正対象書類名】特許請求の範囲
【補正対象項目名】全文
【補正方法】変更
【補正の内容】
【特許請求の範囲】
【請求項１】
操作部を介して指定された読み取りモードで動作して、原稿搬送手段により搬送されるかあるいは原稿載置台に載置された原稿に光源からの光を照射し、前記原稿の画像情報を光電変換して、前記原稿の画像情報を読み取る画像読取装置において、
前記原稿の画像情報を光電変換する光電変換素子、前記光電変換素子を駆動する駆動手段、動作状態を設定するレジスタを有し前記光電変換素子により生成されたアナログ信号をデジタル信号に変換するアナログデジタル変換手段、前記アナログデジタル変換手段により変換されたデジタル信号を処理する画像処理手段、制御クロック信号の出力を制御するレジスタを有し前記制御クロック信号を出力して、前記光電変換素子、前記アナログデジタル変換手段、及び画像処理手段のタイミング制御を行うタイミング制御手段、電源出力を制御するための制御端子を有し前記光電変換素子に電源を供給する電源供給手段をそれぞれ有する、前記原稿の第１面の画像情報を読み取る第１の読み取り手段、及び前記原稿の第２面の画像情報を読み取る第２の読み取り手段と、
画像情報の読み取り動作を制御する制御手段とを備え、
前記読み取りモードが、前記原稿の第１面及び第２面の画像情報を読み取る両面読み取りモードと、前記原稿の第１面あるいは第２面のいずれか一方の画像情報を読み取る片面読み取りモードとを含み、
前記第１の読み取り手段及び前記第２の読み取り手段が、前記光電変換素子、前記駆動手段、前記アナログデジタル変換手段、前記画像処理手段、及び前記タイミング制御手段が駆動している読み取り動作状態と、駆動していないスタンバイ状態とを切り替え可能であり、
前記制御手段が、前記指定された読み取りモードに応じて、前記アナログデジタル変更手段及び前記タイミング制御手段のレジスタ値を変更することで前記アナログデジタル変換手段の動作とその停止、前記タイミング制御手段による制御クロック信号の出力とその停止を制御し、また前記制御端子の設定を変更することで前記電源供給手段による電源の供給とその停止を制御し、これにより、前記第１の読み取り手段及び前記第２の読み取り手段における前記読み取り動作状態と前記スタンバイ状態とを切り替え制御することを特徴とする画像読取装置。
【請求項２】
請求項１に記載の画像読取装置において、
前記指定された読み取りモードが両面読み取りモードの場合には、前記制御手段が前記第１の読み取り手段及び前記第２の読み取り手段の両方を読み取り動作状態に切り替え制御し、
前記指定された読み取りモードが片面読み取りモードの場合には、前記制御手段が前記第１の読み取り手段あるいは前記第２の読み取り手段の一方を読み取り動作状態に切り替え制御することを特徴とする画像読取装置。
【請求項３】
請求項１または２に記載の画像読取装置において、
前記片面読み取りモードが、前記原稿搬送手段により搬送される原稿の片面の画像情報を読み取る片面流し読みモードと、前記原稿載置台に載置された原稿の画像情報を読み取る原稿固定読み取りモードとを含み、
前記読み取りモードが前記片面流し読みモードの場合には、前記制御手段が前記第１の読み取り手段あるいは前記第２の読み取り手段の一方を読み取り動作状態に切り替え制御し、
前記読み取りモードが前記原稿固定読み取りモードの場合には、前記制御手段が前記第１の読み取り手段を読み取り動作状態に切り替え制御することを特徴とする画像読取装置。
【請求項４】
原稿を給送する原稿給送手段と、
前記原稿給送手段により給送中の原稿の表面の画像を読み取る第１の読取素子と、
前記原稿給送手段により給送中の原稿の裏面の画像を読み取る第２の読取素子と、
前記第１の読取素子及び前記第２の読取素子を駆動するクロック信号を出力するタイミング制御手段と、
前記第１の読取素子及び前記第２の読取素子を駆動するための電源を供給する電源と、
前記タイミング制御手段及び前記電源を制御する制御手段と、
を有し、前記制御手段は、前記第１の読取素子と前記第２の読取素子の何れかが読取を行っていない状態で、前記タイミング制御手段及び前記電源に対する設定を変更することにより、読取を行っていない読取素子に対しての前記タイミング制御手段からのタイミング信号の出力及び前記電源からの電源供給を停止させることを特徴とする画像読取装置。
【手続補正２】
【補正対象書類名】明細書
【補正対象項目名】発明の名称
【補正方法】変更
【補正の内容】
【発明の名称】画像読取装置
【手続補正３】
【補正対象書類名】明細書
【補正対象項目名】０００１
【補正方法】変更
【補正の内容】
【０００１】
本発明はスキャナ、ファックス、複写機等に使用される画像読取装置に関する。
【手続補正４】
【補正対象書類名】明細書
【補正対象項目名】０００８
【補正方法】変更
【補正の内容】
【０００８】
本発明は、かかる問題点に鑑みてなされたものであり、専用のハードウェア構成を設けることなく、より低コストに省電力化を図ることができる画像読取装置を提供することを目的とする。
【手続補正５】
【補正対象書類名】明細書
【補正対象項目名】００１０
【補正方法】変更
【補正の内容】
【００１０】
（１）操作部を介して指定された読み取りモードで動作して、原稿搬送手段により搬送されるかあるいは原稿載置台に載置された原稿に光源からの光を照射し、前記原稿の画像情報を光電変換して、前記原稿の画像情報を読み取る画像読取装置において、前記原稿の画像情報を光電変換する光電変換素子、前記光電変換素子を駆動する駆動手段、動作状態を設定するレジスタを有し前記光電変換素子により生成されたアナログ信号をデジタル信号に変換するアナログデジタル変換手段、前記アナログデジタル変換手段により変換されたデジタル信号を処理する画像処理手段、制御クロック信号の出力を制御するレジスタを有し前記制御クロック信号を出力して、前記光電変換素子、前記アナログデジタル変換手段、及び画像処理手段のタイミング制御を行うタイミング制御手段、電源出力を制御するための制御端子を有し前記光電変換素子に電源を供給する電源供給手段をそれぞれ有する、前記原稿の第１面の画像情報を読み取る第１の読み取り手段、及び前記原稿の第２面の画像情報を読み取る第２の読み取り手段と、画像情報の読み取り動作を制御する制御手段とを備え、前記読み取りモードが、前記原稿の第１面及び第２面の画像情報を読み取る両面読み取りモードと、前記原稿の第１面あるいは第２面のいずれか一方の画像情報を読み取る片面読み取りモードとを含み、前記第１の読み取り手段及び前記第２の読み取り手段が、前記光電変換素子、前記駆動手段、前記アナログデジタル変換手段、前記画像処理手段、及び前記タイミング制御手段が駆動している読み取り動作状態と、駆動していないスタンバイ状態とを切り替え可能であり、前記制御手段が、前記指定された読み取りモードに応じて、前記アナログデジタル変更手段及び前記タイミング制御手段のレジスタ値を変更することで前記アナログデジタル変換手段の動作とその停止、前記タイミング制御手段による制御クロック信号の出力とその停止を制御し、また前記制御端子の設定を変更することで前記電源供給手段による電源の供給とその停止を制御し、これにより、前記第１の読み取り手段及び前記第２の読み取り手段における前記読み取り動作状態と前記スタンバイ状態とを切り替え制御することを特徴とする画像読取装置。
（２）原稿を給送する原稿給送手段と、前記原稿給送手段により給送中の原稿の表面の画像を読み取る第１の読取素子と、前記原稿給送手段により給送中の原稿の裏面の画像を読み取る第２の読取素子と、前記第１の読取素子及び前記第２の読取素子を駆動するクロック信号を出力するタイミング制御手段と、前記第１の読取素子及び前記第２の読取素子を駆動するための電源を供給する電源と、前記タイミング制御手段及び前記電源を制御する制御手段と、を有し、前記制御手段は、前記第１の読取素子と前記第２の読取素子の何れかが読取を行っていない状態で、前記タイミング制御手段及び前記電源に対する設定を変更することにより、読取を行っていない読取素子に対しての前記タイミング制御手段からのタイミング信号の出力及び前記電源からの電源供給を停止させることを特徴とする画像読取装置。
【手続補正６】
【補正対象書類名】明細書
【補正対象項目名】００１１
【補正方法】削除
【補正の内容】
【手続補正７】
【補正対象書類名】明細書
【補正対象項目名】００１２
【補正方法】削除
【補正の内容】
【手続補正８】
【補正対象書類名】明細書
【補正対象項目名】００１３
【補正方法】削除
【補正の内容】
【手続補正９】
【補正対象書類名】明細書
【補正対象項目名】００１４
【補正方法】変更
【補正の内容】
【００１４】
本発明によれば、専用のハードウェア構成を設けることなく、より低コストに省電力化を図ることができる画像読取装置を提供することができる。